(57)【特許請求の範囲】
【請求項１】
容器の側面に挿入部が形成されており、挿入部の縦断面の形状が長方形であり、挿入部の上部の奥が下方に斜めに形成されていることを特徴とする凹状の能書等の書類の挿入部を有する容器。
【請求項２】
挿入部の上部の縦断面の形状が円弧状であることを特徴とする請求項１に記載の凹状の能書等の書類の挿入部を有する容器。
【請求項３】
挿入部が容器の上部に設けられていることを特徴とする請求項１または２に記載の凹状の能書等の書類の挿入部を有する容器。
【請求項４】
挿入部の間隔が、入り口は大きく、奥は小さいことを特徴とする請求項１〜３のいずれかに記載の凹状の能書等の書類の挿入部を有する容器。
【請求項５】
挿入部の間隔が、入り口は２〜５ｍｍ、奥は１〜３ｍｍであることを特徴とする請求項１〜４のいずれかに記載の凹状の能書等の書類の挿入部を有する容器。
【請求項６】
挿入部が奥に向かって直線、曲線あるいは折れ曲がっていることを特徴とする請求項１〜５のいずれかに記載の凹状の能書等の書類の挿入部を有する容器。
【請求項７】
挿入部にリブが設けられていることを特徴とする請求項１〜６のいずれかに記載の凹状の能書等の書類の挿入部を有する容器。
【請求項８】
挿入部のリブが相対して設けられていることを特徴とする請求項１〜７のいずれかに記載の凹状の能書等の書類の挿入部を有する容器。
【発明の詳細な説明】
【０００１】
【発明の属する技術分野】
この出願発明は、能書等を挿入するようにした挿入部を有する容器に関する。
【０００２】
【従来の技術】
従来の容器は、容器の内容物等を説明する能書を容器に貼付するか、容器を入れた箱に貼付するか、あるいは容器と共に箱に封入していた。
このため、容器のリサイクルには、貼付した能書を剥離する必要があり、また他の場合も能書の取り扱いが面倒であった。
【０００３】
【発明が解決しようとする課題】
この出願発明は、リサイクルの容易な挿入部を有する容器を提供することを目的とする。
【０００４】
【課題を解決するための手段】
この出願発明は、容器の側面に挿入部が形成されており、挿入部の縦断面の形状が長方形であり、挿入部の上部の奥が下方に斜めに形成されている凹状の能書等の書類の挿入部を有する容器に関する。
【０００５】
【作用】
この出願発明の凹状の挿入部を有する容器は、容器と能書等が一体化されているので、能書等を安全にしかも簡単に相手方に渡すことができ、また、その場で容器あるいは容器の内容を確認することができる。
【０００６】
【発明の実施の形態】
この出願発明の凹状の挿入部を有する容器は、挿入部が容器の上部に設けられていることが好ましい。
能書の挿入および取り出しを容易に行うことができる。
【０００７】
この出願発明の凹状の挿入部を有する容器は、挿入部が容器の下部に設けられていることが好ましい。
【０００８】
また、挿入部が容器の下部に設けられている場合には、底部が切り欠かれて設けられていることが好ましい。
切り欠きを利用して能書の挿入および取り出しを容易に行うことができる。
【０００９】
挿入部の表面の形状は、直線でも、曲線でも、折れ曲がっていてもよいが、挿入のし易さからは直線の方が好ましい。
また、曲線状、折れ曲がっている場合には能書き等を保持しやすい。
【００１０】
挿入部は奥に向かって直線であっても、曲線でも、折れ曲がっていてもよい。曲がっている場合には能書き等を保持しやすい。
【００１１】
この出願発明の凹状の挿入部を有する容器は、挿入部の表面の形状が縦長であることが好ましい。
容器の大きさにより異なるが、具体的には、直径５０ｍｍ高さが１５０ｍｍ程度の容器の場合には、縦５０〜１００ｍｍ、奥行き１５〜２５ｍｍの大きさが好ましい。
縦長にすると、能書を細かく折り畳まずに幅広い状態で挿入できるので、挿入および取り出しが容易になる。
挿入部の間隔は、入り口は、２〜５ｍｍが、奥は１〜３ｍｍが好ましいが、入り口の間隔が奥の間隔よりも大きいことが好ましい。
【００１２】
挿入部の断面の形状は、長方形が好ましいが、挿入および取り出し易さからは上部の奥が下方に斜めに形成されていることが好ましい。
【００１３】
また、滑らかに挿入および取り出すには、挿入部の上部の断面の形状は、円弧状であることが好ましい。
【００１４】
この出願発明の凹状の挿入部を有する容器は、挿入部にリブが設けられていることが好ましい。
リブはどこに設けてもよいが、能書等をより安定して保持するには、挿入部の下方に設けることが好ましい。
リブの形状は球状でも、棒状でも、円柱状でも、円錐状でも、角柱状でも、角錐状でもよい。
【００１５】
リブは、挿入部の相対する面にそれぞれ１個設けてもよいし複数個設けてもよいが、挿入部の相対する面のそれぞれに少なくとも２個所に設けることが好ましい。なお、リブが棒状の場合には、１個でもよい。
リブを少なくとも２個所に設けることにより、挿入した能書を２個所以上のリブによって押さえることができるので、より安定して能書等を保持することができる。
【００１６】
相対する面に設けられるリブは、リブとリブとが相対するようにして設けられていることが好ましい。
このようにすることにより、挿入部を広くすることができ、しかも、挿入した能書が両方のリブによってより強く押さえられ、抜けることがないので、安心して使用することができる。
【００１７】
挿入部には、挿入した後に必要があれば、挿入物を挿入部に保つように弾性のあるものをさらに充填してもよい。
【００１８】
この出願発明の挿入部を有する容器は、どのような形状でもよいが、円柱状、角柱状であることが好ましい。
【００１９】
挿入部を有する容器は補強構造となっていてもよい。
【００２０】
この出願発明の挿入部を有する容器は、どのようなプラスチックでもよく、軟質のプラスチックあるいは硬質のプラスチックが使用される。
【００２１】
容器の材質としては、プラスチックが好ましく、とくに硬質プラスチックが好ましい。
プラスチックとしては通常用いられているものが使用され、ポリエチレンテレフタレート、ポリオレフィンあるいはポリオレフィンを含むガスバリアー性等を考慮した積層体、ポリエチレン、ポリエチレンとエチレンビニルアルコールの積層体等が使用されるが、ポリエチレンテレフタレートがとくに好ましい。
また、内容物を充填する挿入部を有する容器は、ポリオレフィンあるいはポリオレフィンを含むガスバリアー性等を考慮した積層体、ポリエチレン、ポリエチレンとエチレンビニルアルコールの積層体等が使用される。
【００２２】
能書等は、ケースに入れて挿入部に挿入してもよい。
ケースは、袋状でもよいし、シートを折り曲げたものでもよいし、シートの二辺を接合したものでもよい。
また、ケースは、滑らないように表面を加工したものでもよいし、挿入部のリブに嵌合するようにしたものでもよい。
【００２３】
【実施例】
以下、この出願発明を図により具体的に説明する。
実施例１
プリフォームをブロー成形することにより、図１の円柱状の凹状の挿入部を有する、直径５０ｍｍ、高さ１６０ｍｍのポリエチレンテレフタレートの凹状の挿入部を有する容器１を作製した。
凹状の挿入部は、口頸部４の下部から１０ｍｍ離れたところに、縦７０ｍｍ、奥行き２５ｍｍの凹状の挿入部２が容器に取り付けられている。
そして、凹状の挿入部の両側に２個の半球状のリブ３がそれぞれ相対するように形成されている。
この凹状の挿入部に能書を折り曲げて挿入した。
能書は、リブによって押さえられており、挿入部を下にしてもそのまま凹状の挿入部に保持されていた。
このようにこの出願発明の挿入部を有する容器１は、凹状の挿入部のリブにより能書が確実に保持されているので、これまでのように、容器に能書を貼付する必要はなく、また、表面が滑らかであるので、取り扱いが容易であった。
なお、挿入された能書は、挿入部から取り出し、直ちに内容を確認することができる。
さらに、容器のリサイクルに当たっては、能書が容器に貼付されていないので、従来困難であった剥離工程を省略でき、効率的にリサイクルを行うことができる。
【００２４】
実施例２
プリフォームをブロー成形することにより、図５の円柱状の底部が切りか欠かれている凹状の挿入部を有する、直径５０ｍｍ、高さ１６０ｍｍのポリエチレンテレフタレートの凹状の挿入部を有する容器１を作製した。
凹状の挿入部は下部に、縦７０ｍｍで、底部が切り欠かれている奥行き２５ｍｍの凹状の挿入部２が容器に取り付けられている。
この凹状の挿入部に能書を折り曲げて挿入した。
能書は、折り畳んだ紙の弾力によって押さえられており、挿入部を下にしてもそのまま凹状の挿入部に保持されていた。
この実施例の容器１は、底部が切り欠かれているので、切り欠き８を利用して容易に能書きを挿入したりあるいは取り出すことができ、これまでのように、容器に能書を貼付する必要はなく、また、表面が滑らかであるので、取り扱いが容易であった。
なお、挿入された能書は、底部の切り欠かれた部分を利用して挿入部に能書きを挿入したり、挿入部から能書きを取り出し、直ちに内容を確認することができる。
さらに、容器のリサイクルに当たっては、能書が容器に貼付されていないので、従来困難であった剥離工程を省略でき、効率的にリサイクルを行うことができる。
【００２５】
実施例３
プリフォームをブロー成形することにより、図８、９の円柱状の奥に向かって曲がった凹状の挿入部を有する、直径５０ｍｍ、高さ１６０ｍｍのポリエチレンテレフタレートの凹状の挿入部を有する容器１を作製した。
凹状の挿入部は、口頸部４の下部から底部にかけて、縦７０ｍｍ、奥行き２５ｍｍの凹状の挿入部２が容器に取り付けられている。
この凹状の挿入部に能書を折り曲げて挿入した。
能書は、挿入部に曲がって入ってるので、挿入部を下にしてもそのまま凹状の挿入部に保持されていた。
このようにこの出願発明の挿入部を有する容器１は、曲がった凹状の挿入部により能書が確実に保持されているので、これまでのように、容器に能書を貼付する必要はなく、また、表面が滑らかであるので、取り扱いが容易であった。
なお、挿入された能書は、挿入部から取り出し、直ちに内容を確認することができる。
さらに、容器のリサイクルに当たっては、能書が容器に貼付されていないので、従来困難であった剥離工程を省略でき、効率的にリサイクルを行うことができる。
【００２６】
【発明の効果】
この出願発明の凹状の挿入部を有する容器は、容器に能書等を入れる挿入部が形成されているので、能書の送付を簡単にすることができ、容器あるいは容器に入れられている製品の内容の把握を現場で効率的に行うことができる。
また、使用中は能書は外部に出ていないので、作業の面で取り扱いが困難になることがない。
とくに、最近は、廃棄物を少なくするために容器のリサイクルが要望されているが、この出願発明の容器をリサイクルする場合には、容器に能書が貼付されていないので、能書を剥離する工程を省略することができ、効率的な容器のリサイクルを行うことができる。
挿入部は、リブを設けることにより、挿入された能書を安定に保持することができる。また、リブが相対して設けられている場合には、挿入部を広く設けることができるので、厚い能書でも挿入することができる。
容器が透明な場合には、挿入部に能書が挿入されているかどうかが簡単に見分けられるのでとくに好ましい。
【図面の簡単な説明】
【図１】  この出願発明の挿入部を有する容器の斜視図
【図２】  他のこの出願発明の挿入部を有する容器の斜視図
【図３】  図１の挿入部を有する容器の挿入部における断面図
【図４】  図３のＡ−Ａ’断面図
【図５】  他のこの出願発明の挿入部を有する容器の斜視図
【図６】  図５の挿入部を有する容器の挿入部における断面図
【図７】  図５のＢ−Ｂ’断面図
【図８】  他のこの出願発明の挿入部を有する容器の側面図
【図９】  図８の平面図
【符号の説明】
１  挿入部を有する容器
２  凹状の挿入部
３  リブ
４  口頸部
５  挿入部の間隔
６  挿入部の入り口
７  挿入部の奥
８  切り欠き
【図１】
0004150117.tif 000002
【図２】
0004150117.tif 000003
【図３】
0004150117.tif 000004
【図４】
0004150117.tif 000005
【図５】
0004150117.tif 000006
【図６】
0004150117.tif 000007
【図７】
0004150117.tif 000008
【図８】
0004150117.tif 000009
【図９】
0004150117.tif 000010